(57)【特許請求の範囲】
【請求項１】
眼鏡であって、
一対のレンズと、
前記レンズの各内端へ接続された一対の解除可能なコネクタであり、一緒に固定的に接続可能であり、且つ相互に解除可能であるコネクタと、
前記レンズの各外端へ接続された一対のテンプルと、
前記テンプルの後端の間に接続されたストラップとを備え、そのストラップは、前記コネクタが取り外されたときに、その形状を概ね保持するのに充分に剛であり、且つ曲げられたときに撓んで跳ね返るときに復元することができるように充分に弾力的であり、前記ストラップは、概ねＵ字形状であり、弧状基部へ接続された実質的に平行な脚を有し、この実質的に平行な脚は前記テンプルの後端へ接続され、着用時には、前記弧状基部がユーザーの頭部の後部に沿って延伸し、前記ストラップは更に、前記弧状基部内に位置する入れ子式区画を備えており、これは前記弧状基部の長さを選択的に変化させて、前記ストラップの前記実質的に平行な脚の間の間隔を変化させ、ユーザーの頭部の幅の変化に対応して前記ストラップを調整すると共に、
前記コネクタを解除して前記眼鏡を容易に装着及び取り外しできるようにして、前記コネクタが一緒に接続されたときは、前記レンズは互いに対する所定位置に固定されて、一対の眼の前方における位置決めを固定的且つ安全にする眼鏡。
【請求項２】
請求項１の眼鏡において、前記コネクタはマグネットからなる眼鏡。
【請求項３】
請求項１の眼鏡において、前記テンプルは、異なる装着者に適合するように入れ子式テンプルからなる眼鏡。
【請求項４】
請求項１の眼鏡において、前記テンプルは、前記レンズに枢動可能に接続されており、前記コネクタが相互に解除されるときは、前記レンズの前記内端が装着を容易にするところから外方へ回動する眼鏡。
【請求項５】
請求項１の眼鏡において、一対のフレームを更に含み、前記レンズはそれぞれ前記フレームに装着されて、前記コネクタは前記フレームの各内端へ取り付けられて、前記テンプルは前記フレームの各外端へ取り付けられる眼鏡。
【請求項６】
眼鏡であって、
一対のレンズと、
前記レンズの各内端へ接続された一対の解除可能なコネクタであり、一緒に固定的に接続可能であり、且つ相互に解除可能であるコネクタと、
前記レンズの各外端へ接続された一対のテンプルであり、このテンプルの端部は下向きの鉤状であり、一対の耳の周りに巻き付くようにされているテンプルと、
ストラップとを備え、そのストラップは概ねＵ字形状であり、弧状基部へ接続された実質的に平行な脚を有し、この実質的に平行な脚は前記テンプルの後端へ接続され、着用時には、前記弧状基部がユーザーの頭部の後部に沿って延伸し、前記ストラップは更に、前記弧状基部内に位置する入れ子式区画を備えており、これは前記弧状基部の長さを選択的に変化させて、前記ストラップの前記実質的に平行な脚の間の間隔を変化させ、ユーザーの頭部の幅を支持するように前記ストラップを調整すると共に、
前記コネクタが相互に解除されたときに、前記レンズの内端が互いに離間して、前記眼鏡を容易に装着及び取り外しできるようにして、前記コネクタが一緒に接続されたときは、前記レンズは互いに対する所定位置に固定されて、一対の眼の前方における位置決めを固定的且つ安全にする眼鏡。
【請求項７】
請求項６の眼鏡において、前記コネクタはマグネットからなる眼鏡。
【請求項８】
請求項６の眼鏡において、前記テンプルは、異なる装着者に適合するように入れ子式テンプルからなる眼鏡。
【請求項９】
請求項６の眼鏡において、前記テンプルは、前記レンズに枢動可能に接続されており、前記コネクタが相互に解除されるときは、前記レンズの前記内端が装着を容易にするところから外方へ回動する眼鏡。
【請求項１０】
請求項６の眼鏡において、一対のフレームを更に含み、前記レンズはそれぞれ前記フレームに装着されて、前記コネクタは前記フレームの各内端へ取り付けられて、前記テンプルは前記フレームの各外端へ取り付けられる眼鏡。
【発明の詳細な説明】
【発明の詳細な説明】
【０００１】
技術分野
本発明は、スナップ係合式ブリッジ特徴を有する改良された眼鏡に関する。
【０００２】
発明の背景
本願の出願人は米国特許第６，２５３，３８８号の保有者である。’３８８特許に開示されて請求された発明は眼鏡に関係しており、この眼鏡は、一対のレンズと、これレンズの各内端に接続された解除可能なコネクタと、レンズの各外端に対して枢動可能な一対のテンプルと、これらテンプルの後端の間に取り付けられた剛なストラップとを備える。ストラップはレンズの下に位置し、結髪やヘルメットに干渉しないようにされている。レンズの内端は、コネクタ（好ましくはマグネット）により解除可能に一緒に固定されるように意図されている。眼鏡を位置決めするには、レンズを先ず互いに離間させて外側へ回動させる。次いでストラップをユーザーの頭部の後部の回りに巻き付けて、レンズを互いに向かって回動させて、眼の前方で一緒に固定する。レンズは容易に眼鏡に取り外し取り付けることができ、即座に離間可能に設けられているが、即座の接続により固定及び正確な装着が可能である。
【０００３】
図１は、出願人の‘３８８号特許に全体的に開示されて請求された眼鏡を示す。特に、レンズ１０は、テンプル１２に枢軸に取り付けられた各フレーム１４に好ましく装着されるように示されている。コネクタ１１はフレーム１４の各内端に取り付けられている。テンプル１２は、別の装着者に装着するために好ましくは入れ子式である。既に述べたように、テンプル１２はフレーム１４の各外端部に対して枢動可能に取り付けられてユーザーの耳の回りに留めるようにフック部分を含むように教示されている。ストラップ１３はレンズ１０の下に位置して、結髪やヘルメットとの干渉を避けるようにされており、好ましくは、取り外したときに、その形状を保持するのに充分に弾性的であるが、破断することなく或る程度屈曲可能になるのに充分に可撓である。代替的には、ストラップ１３はテンプル１２と同じ高さになるように設けられているが、利点が若干損なわれる。この米国特許第６，２５３，３８８号の開示事項は参照により本明細書に組み込まれている。
【０００４】
図２は、卵形５０として、ユーザーが真っ直ぐ正視しているところをその上から見下ろした図で見たユーザーの頭部を示す。ユーザーの頭部５０の主軸は前方から後方へ２１として、側面から側面へ２２として示されている。この’３８８特許では、好ましい実施形態として、軸２１に沿うユーザーの頭部が特に長い場合にコネクタ１１の係合解除によりレンズの不注意な分離を最小化するようにストラップ／テンプル部品の長さを変える能力が意図されている。ユーザーが軸２１に沿って特に細長い頭部を有するならば、眼鏡の通常の使用は、このような眼鏡の連続的使用を妨げるコネクタ１１の不用意な離脱により、レンズ１０を互いに離間させてしまうことが判明している。しかしながら、出願人により開示された前者の眼鏡は、頭部が特に広くひいては軸２２に沿う寸法が相当に大きい比率であるユーザーに適合させる手段を有していない。
【０００５】
従って本発明の目的は、ユーザーの頭部の両方の主軸に沿って調整可能なスナップ・コネクタ・ブリッジを有する眼鏡を与え、ひいてはこのような眼鏡の使用を多くの公衆に提供する。
【０００６】
これらと他の目的は以下の説明及び添付の請求項を斟酌したときにより容易に明らかになるであろう。
【０００７】
発明の概要
本眼鏡は、一対のレンズ、レンズの各内端へそれぞれ接続された一対の解除可能なコネクタ、レンズの各外端へ枢動可能に接続された一対のテンプル、及びテンプルの後方端部の間に接続された剛なストラップを含む。このストラップは概ねＵ字形状であり、孤状基部へ接続された実質的に平行な脚を有し、この実質的平行脚はテンプルの後端へ接続され、着用時には、孤状基部がユーザーの頭部の後部に沿って延伸する。Ｕ字形状におけるストラップは入れ子式区画を備えており、これは孤状基部の長さを選択的に変化させて、ストラップの実質的平行脚の間の間隔を変化させ、ユーザーの頭部の幅の変化に対してストラップを調整する。レンズの内端はコネクタにより解除可能に一緒に固定されている。使用においては、レンズは互いに離間して外方へ回動して、ストラップはユーザーの頭部の後方の周りに巻き付いて、サイズに対して調整される。レンズは次いで互いに向かって枢動し、ユーザーの眼の前方で一緒に固定される。このレンズは、眼鏡の容易な装着又は取り外しのために即座に分離可能であるが、固定及び適切な適合のために即座に一緒に接続可能である。
【図面の簡単な説明】
【０００８】
【図１】図１は米国特許第６，２５３，３８８号の主題をなす眼鏡の斜視図である。
【図２】図２は本発明の典型的なユーザーの頭部の上面図である。
【図３】図３は本発明の眼鏡の上面図である。
【図４】図４Ａ及び４Ｂは本発明の眼鏡を支持するユーザーの頭部の上面図である。
【図５】図５は本発明の眼鏡の一部分をその従来技術を越える改良点を強調して示す本発明の上面図である。
【０００９】
好ましい実施例の詳細な説明
構成、操作方法について本発明の特徴である新規な特徴は、その更なる目的及び利点と共に、本発明の好ましい実施形態が例示された添付図面に関連して斟酌される以下の説明からより良く理解されよう。しかながら、それらの図面は例示的説明のみのためのものであり、本発明を規定するように意図されたものではない。本発明を特徴付ける新規な様々な特徴は請求項に詳細に記載されている。
【００１０】
本発明のより重要な特徴は、以下の詳細な説明からより良く理解されるように、また当技術分野に対する本発明の寄与が評価されるように、上述の概要において広範に概要を示した。勿論、本発明の付加的な特徴も以下に説明され、これは添付の請求項の付加的な主題要件を形成する。当業者には、本開示事項に基づく概念は、他の構造の設計、本発明の幾つかの目的を実行するための方法及びシステムための基礎として利用できることが理解されよう。従って、請求項は、そのような均等な構造物も本発明の要旨及び目的から逸脱しない限りは包含するものと見なされる。
【００１１】
特定の用語及びその略語が以下の説明で簡便化及び参照のみのために用いられているが、これらは限定を意図するものではない。例えば、語句「上向き」、「下向き」、「左」、「右」等は、特に断らない限り、参照がなされる図面における向きを示す。同様に語句「内方」及び「外方」等は、デバイス又は領域及びその指摘された部分の幾何学的中心に対して近接及び離間する方向をそれぞれ示す。単数形の意味における参照は、特に断らない限り、複数及びその逆も含む。
【００１２】
既に述べたように、出願人はその米国特許第６，２５３，３８８号において眼鏡を教示しており、これは各フレーム１４に装着されたレンズ１０を含む。コネクタ１１は好ましくはフレーム１４の内端へ取り付けられる。テンプル１２は異なる着用者に適合させるために好ましくは入れ子式である。その後者の特徴として、入れ子式テンプル１２は、頭部が軸２１に沿って標準よりも長い装着者の助けとなる。この入れ子式特徴が無ければ、出願人のスナップ係合式ブリッジを有する眼鏡を着用しようとする試みは、多くの場合、ブリッジにおける接続性を不用意に損ない、図４Ａに概略的に示すように、レンズが符号３２において離間させられる。しかしながら、上述した入れ子式特徴にも係わらず、人の頭部が軸２２に沿って平均よりも若干長いならば、コネクタ３２の不用意な離脱は回避することができない。
【００１３】
ここで図３を参照すると、眼鏡３０は下向き立面図で描かれている。図示されているレンズ３１及び３３は、それらの内端からコネクタ３２（好ましくはレンズ３１及び３３の各々を囲むフレーム内に埋設された一対のマグネット）の使用を通じて解除可能である。テンプル片３４及び３５は、レンズ又はそれらのフレーム３１及び３２からそれぞれ枢動可能に伸して、概ねＵ字形状ストラップ３６へ接続されて、このストラップは、コネクタ３２が解除されたときに、その形状を概ね保持するのに充分に剛であり、且つ曲げられたときに撓んで跳ね返るときに復元することができるように充分に弾力的である。
【００１４】
図３に矢印４１及び４２で示すように、テンプル片３４及び３５はＵ字形状ストラップ３６の平行脚３７及び３８に関して入れ子式とすることができるので、レンズ３１及び３２と眼鏡３０の孤状基部３９との間の軸２１（図２）方向の距離を延長又は縮小させる。
【００１５】
この入れ子式特徴によってさえも、特に頭部５０が軸２２（図２）方向に著しく広いならば、図４Ａに示すように、レンズ３１及び３３を離間させることは極めて通例である。このような不慮の事態を考慮するために、ストラップ３６には入れ子式区画６０を設けてあり、その詳細は後述する。
【００１６】
眼鏡３０を装着するとき、レンズ３１及び３３の内端はテンプル３４及び３５に対して回動して外向きに延伸して、実質的にテンプル３４及び３５に対する延長部となり、Ｕ字形状ストラップ３６はユーザーの頭部５０の周りに位置する。それに続いて、レンズ３１及び３３は、コネクタ３２がレンズを互いに解除可能に取り付けるまで、テンプル３４及び３５に関して回動する。これは米国特許‘３８８号により完全に説明されている通りである。
【００１７】
しかしながら、ユーザーの頭部５０が（図２の軸２２に沿って）特に広いならば、レンズ３１及び３３は開口５１にて離間され、本眼鏡を非実用的とする。この状態になったときは、弧状基部３９におけるストラップ３６の端部は、矢印４３（図３）の方向で互いに離間できる。理想的には、ブリッジ６０は、ストラップ３６内に入れ子式の延長片６０ａ及び６０ｂを有し、その位置は、摩擦を通じて、或いは突起６４の使用を通じて保持される。従って、ストラップ３６の実質的に弧状の基部３９の端部６１及び６２が引っ張られて離れて、互いから離間するにつれて、図４Ａに示す眼鏡３０は図４Ｂの眼鏡３０へ変形して、眼鏡をユーザーの頭の周りに理想的に適合可能として、コネクタ３２の不用意な係合解除の発生を防止する。
【００１８】
上述の開示事項は当業者に本発明を実施可能とさせるのに充分であり、発明者により現在意図されている発明の最良の実施形態を与える。本明細書には本発明の好ましい実施形態の充分且つ完全な開示が与えられているが、本発明を説明された特定の構造、寸法、関係又は操作に限定することは望ましくない。様々な変更例、代替的構造、変形例及び均等物は、本発明の要旨及び目的を逸脱すること無く、当業者には容易に想到して適切に採用し得るものである。このような変形例は、代替的材料、構成要素、構造的配置、寸法、形状、形態、機能、操作的特性及びその他を含み得る。
【００１９】
従って上述の説明及び図示は、請求項により規定されている本発明の限定として解釈されるべきではない。
【００２０】
【図１】
0005918140.tif 000002
【図２】
0005918140.tif 000003
【図３】
0005918140.tif 000004
【図４Ａ】
0005918140.tif 000005
【図４Ｂ】
0005918140.tif 000006
【図５】
0005918140.tif 000007